(57)【特許請求の範囲】
【請求項１】
前後の支持パイプの垂直部間に水平に架設され上下方向にスライド可能なグリップホルダを備え、このグリップホルダの前端部及び後端部にそれぞれ支持パイプに当該グリップホルダを係止させるための係止機構を備える松葉杖において、
各支持パイプの垂直部はその内側面又は外側面に複数のグリップ高さ調整孔を有し、
各係止機構は、前記支持パイプが挿通され水平断面形状が内外方向に長い略長円形状に形成されたパイプ挿通孔を有するスリーブ部と、前記グリップ高さ調整孔に挿入可能な係止ピン部と、前記スリーブ部に設けられる垂直ピン部と、該垂直ピン部に端部が軸支され外部からロック方向及びアンロック方向の回動操作力を受けるロックレバーとを備え、
前記パイプ挿通孔は、当該パイプ挿通孔内において前記支持パイプが内側に位置するとき該支持パイプの外周面の内側半分と当接する内側円弧面と、当該パイプ挿通孔内において前記支持パイプが外側に位置するとき該支持パイプの外周面の外側半分と当接する外側円弧面と、前記内側、外側円弧面間に対面形成された前側、後側垂直面とにより形成され、
前記係止ピン部は、前記内側、外側円弧面のいずれか一方の円弧面の中央部から内外方向に沿って水平に突設されており、前記支持パイプが内側、外側位置のいずれか一方の位置にあるときその先端部が前記グリップ高さ調整孔に挿入されグリップホルダを支持パイプに対し係止状態に保持し、一方、前記支持パイプが他方の位置にあるときその先端部が前記グリップ高さ調整孔から外れグリップホルダを上下方向へスライド可能にし、
前記垂直ピン部は、前記スリーブ部において前記係止ピン部が形成されていない円弧面側の部位であって係止ピン部の仮想延長軸線付近の部位に設けられ、
前記ロックレバーは、ロック時、支持パイプの外周面に対し係止ピン部とは反対側から当接するレバー円弧面を有し、このレバー円弧面の垂直ピン部側の端部は、当該ロックレバーのロック時、支持パイプの軸線と垂直ピン部の軸線とを含んだ仮想垂直面の近傍位置に位置し、また、前記レバー円弧面は、当該ロックレバーのロック時、前記仮想垂直面と交わるように形成されている
ことを特徴とする松葉杖。
【請求項２】
請求項１において、前記スリーブ部は、前記レバー円弧面をパイプ挿通孔に進入可能とするためのレバー通し窓を有していることを特徴とする松葉杖。
【請求項３】
請求項１又は２において、前記前側、後側垂直面のうちグリップホルダの中央側に位置する方の垂直面の内外方向中央部にガイド面が形成され、該ガイド面は、前記支持パイプを内側位置又は外側位置に確保した状態でグリップホルダを上下方向へ案内することを特徴とする松葉杖。
【発明の詳細な説明】
【０００１】
【発明の属する技術分野】
本発明は、グリップの高さ位置が調整可能な松葉杖に関する。
【０００２】
【従来の技術】
従来、グリップの高さ位置を調整可能な松葉杖として特開平６−０８６７９５号公報に記載の松葉杖が知られている。
【０００３】
この公報記載の松葉杖は、図８に示すように、前後の支持パイプ１、２の垂直部１ａ、２ａ間に水平に架設され上下方向ａにスライド可能なグリップホルダ３を備え、このグリップホルダ３の前端部及び後端部にそれぞれ支持パイプ１、２に当該グリップホルダ３を係止させるための係止機構４、５を備える。
【０００４】
前側支持パイプ１の前面１ｂと後側支持パイプ２の後面２ｂには、上下方向の複数のグリップ高さ調整孔６が穿設されている。
【０００５】
各係止機構４、５は、図９に横断面図として示すように、支持パイプ１、２を取り囲み上下方向へ摺動可能なスリーブ部７と、このスリーブ部７の外周面に形成された窪み７ａ、７ａに先端部８ａ、８ａが係合され前後方向へ移動可能なクランプ８と、このクランプ８に固着された係止ピン９とを備える。グリップホルダ３が支持パイプ１、２に係止されていないときには、図９に実線で示すように、クランプ８がスリーブ部７から離れた状態にあって係止ピン９の先端９ａが支持パイプ１、２のグリップ高さ調整孔６から外れスリーブ部７の貫通孔７ｂ内に位置しており、グリップホルダ３は上下方向へ摺動可能となる。このグリップホルダ３の非係止状態において、グリップホルダ３の高さ位置を調整した後外部からクランプ８に対しスリーブ部７に向かう押圧力Ｐを加えると、クランプ８の先端部８ａ、８ａがスリーブ部７の窪み７ａ、７ａに沿って両者８ａ、８ａの間隔を狭める方向に弾性復帰すると同時に係止ピン９の先端９ａがグリップ高さ調整孔６を通過し、クランプ８の先端部８ａ、８ａが図示二点鎖線で示す位置まで到達したとき係止ピン９の先端９ａは図示二点鎖線で示す位置まで到達し、グリップホルダ３は支持パイプ１、２に係止されるようになる。一方、このグリップホルダ３の係止状態において、クランプ８に対しスリーブ部７から離す方向の力を加えると、クランプ８の先端部８ａ、８ａがスリーブ部７の窪み７ａ、７ａに沿って両者８ａ、８ａの間隔を広げる方向に弾性変形すると同時に係止ピン９の先端９ａがグリップ高さ調整孔６から抜け、グリップホルダ３は図示実線で示す非係止状態に戻る。
【０００６】
【発明が解決しようとする課題】
しかしながら、上記従来の松葉杖には、グリップホルダ３の高さ位置を調整してグリップホルダ３を支持パイプ１、２に係止させる際、係止ピン９の先端９ａがスリーブ部７の貫通孔７ｂ内に位置しているため、作業者は係止ピン９の先端９ａを全く視認できず、係止ピン９の先端９ａとグリップ高さ調整孔６との上下方向における位置合わせを正確に行うことが難しいという問題があった。
【０００７】
本発明は、上記問題点を解決するためになされたものであり、その目的とするところは、グリップホルダとグリップ高さ調整孔との上下方向における位置合わせを正確に行うことができる松葉杖を提供することにある。
【０００８】
【課題を解決するための手段】
本発明の松葉杖は、前後の支持パイプの垂直部間に水平に架設され上下方向にスライド可能なグリップホルダを備え、このグリップホルダの前端部及び後端部にそれぞれ支持パイプに当該グリップホルダを係止させるための係止機構を備える松葉杖において、各支持パイプの垂直部はその内側面又は外側面に複数のグリップ高さ調整孔を有し、各係止機構は、前記支持パイプが挿通され水平断面形状が内外方向に長い略長円形状に形成されたパイプ挿通孔を有するスリーブ部と、前記グリップ高さ調整孔に挿入可能な係止ピン部と、前記スリーブ部に設けられる垂直ピン部と、該垂直ピン部に端部が軸支され外部からロック方向及びアンロック方向の回動操作力を受けるロックレバーとを備え、前記パイプ挿通孔は、当該パイプ挿通孔内において前記支持パイプが内側に位置するとき該支持パイプの外周面の内側半分と当接する内側円弧面と、当該パイプ挿通孔内において前記支持パイプが外側に位置するとき該支持パイプの外周面の外側半分と当接する外側円弧面と、前記内側、外側円弧面間に対面形成された前側、後側垂直面とにより形成され、前記係止ピン部は、前記内側、外側円弧面のいずれか一方の円弧面の中央部から内外方向に沿って水平に突設されており、前記支持パイプが内側、外側位置のいずれか一方の位置にあるときその先端部が前記グリップ高さ調整孔に挿入されグリップホルダを支持パイプに対し係止状態に保持し、一方、前記支持パイプが他方の位置にあるときその先端部が前記グリップ高さ調整孔から外れグリップホルダを上下方向へスライド可能にし、前記垂直ピン部は、前記スリーブ部において前記係止ピン部が形成されていない円弧面側の部位であって係止ピン部の仮想延長軸線付近の部位に設けられ、前記ロックレバーは、ロック時、支持パイプの外周面に対し係止ピン部とは反対側から当接するレバー円弧面を有し、このレバー円弧面の垂直ピン部側の端部は、当該ロックレバーのロック時、支持パイプの軸線と垂直ピン部の軸線とを含んだ仮想垂直面の近傍位置に位置し、また、前記レバー円弧面は、当該ロックレバーのロック時、前記仮想垂直面と交わるように形成されていることを特徴とする。
【０００９】
ここで、前記スリーブ部は、前記レバー円弧面をパイプ挿通孔に進入可能とするためのレバー通し窓を有している。
【００１０】
また、前記前側、後側垂直面のうちグリップホルダの中央側に位置する方の垂直面の内外方向中央部にガイド面が形成され、該ガイド面は、前記支持パイプを内側位置又は外側位置に確保した状態でグリップホルダを上下方向へ案内する。
【００１１】
【発明の実施の形態】
以下、図面に基づいて本発明の一実施形態を説明する。
【００１２】
図１は、一実施形態に係る松葉杖の概略側面図、図２は、グリップホルダの横半断面図、図３は、前側の係止機構の分解斜視図、図４〜図７は、グリップ高さ位置を調整する作業を行う際における前側の係止機構の一連の動作を説明するための横断面図をそれぞれ示す。
【００１３】
松葉杖は、図１に示すように、前後の支持パイプ１、２の垂直部１ａ、２ａ間に水平に架設され上下方向ａにスライド可能なグリップホルダ３を備え、このグリップホルダ３の前端部及び後端部にそれぞれ支持パイプ１、２に当該グリップホルダ３を係止させるための係止機構４、５を備える。
【００１４】
各支持パイプ１、２の垂直部１ａ、２ａはその内側面１ｂ、２ｂ又は外側面１ｃ、２ｃに複数のグリップ高さ調整孔６を有する。
【００１５】
各係止機構４、５は、図２、３に示すように、支持パイプ１、２が挿通され水平断面形状が内外方向ｂ、ｃに長い略長円形状に形成されたパイプ挿通孔１０を有するスリーブ部７と、グリップ高さ調整孔６に挿入可能な係止ピン部１１と、スリーブ部７に設けられる垂直ピン部１２と、垂直ピン部１２に端部１３ａが軸支され外部からロック方向ｄ及びアンロック方向ｅの回動操作力を受けるロックレバー１３とを備える。
【００１６】
パイプ挿通孔１０は、内側円弧面１０ａと外側円弧面１０ｂと前側垂直面１０ｃと後側垂直面１０ｄとから形成される。
【００１７】
内側円弧面１０ａは、パイプ挿通孔１０内において支持パイプ１、２が内側に位置するとき（仮に、図２に二点鎖線で示した状態に対応するものとする。）、支持パイプ１、２の外周面の内側半分１ｄ、２ｄと当接する。
【００１８】
外側円弧面１０ｂは、パイプ挿通孔１０内において支持パイプ１、２が外側に位置するとき（図６図示の状態に対応する。）、支持パイプ１、２の外周面の外側半分１ｅ、２ｅと当接する。
【００１９】
前側、後側垂直面１０ｃ、１０ｄは、内側、外側円弧面１０ａ、１０ｂ間に対面形成される。そして、これら前側、後側垂直面１０ｃ、１０ｄのうちグリップホルダ３の中央側に位置する方の垂直面（前側の係止機構４の場合、後側垂直面１０ｄ、一方、後側の係止機構５の場合、前側垂直面１０ｃ）の内外方向ｂ、ｃ中央部にガイド面１０ｅが形成される。ガイド面１０ｅは、支持パイプ１、２を内側位置又は外側位置（本実施形態の場合、図６図示の外側位置）に確保した状態でグリップホルダ３を上下方向へ案内する。なお、このガイド面１０ｅは、スリーブ部７に対し内外方向ｂ、ｃへの押圧力が加えられたときグリップホルダ３の内外方向ｂ、ｃへの移動を阻止しないよう形成されており、支持パイプ１、２は内側、外側位置間で移動することができる。
【００２０】
係止ピン部１１は、内側、外側円弧面１０ａ、１０ｂのいずれか一方の円弧面（本実施形態の場合、内側円弧面１０ａ）の中央部から内外方向ｂ、ｃに沿って水平に突設されている。係止ピン部１１は、支持パイプ１、２が内側、外側位置のいずれか一方の位置（本実施形態の場合、内側位置）にあるときその先端部１１ａがグリップ高さ調整孔６に挿入され、グリップホルダ３を支持パイプ１、２に対し係止状態に保持する（図２、４、５、７参照）。一方、支持パイプ１、２が他方の位置（本実施形態の場合、外側位置）にあるとき、係止ピン部１１の先端部１１ａはグリップ高さ調整孔６から外れ、グリップホルダ３は上下方向ａへスライド可能となる（図６参照）。
【００２１】
垂直ピン部１２は、スリーブ部７において係止ピン部１１が形成されていない円弧面（本実施形態の場合、外側円弧面１０ｂ）側の部位であって係止ピン部１１の仮想延長軸線ＶＬ１付近の部位に設けられている。
【００２２】
ロックレバー１３は、ロック時、支持パイプ１、２の外周面に対し係止ピン部１１とは反対側から当接するレバー円弧面１３ｂを有する。このレバー円弧面１３ｂのロック方向ｄにおける端部１３ｃは、当該ロックレバー１３のロック時、支持パイプ１、２の軸線Ｌ１と垂直ピン部１２の軸線Ｌ２とを含んだ仮想垂直面ＶＬ２の近傍位置であってロック方向ｄに仮想垂直面ＶＬ２を越えた位置に位置する。
【００２３】
スリーブ部７は、レバー円弧面１３ｂをパイプ挿通孔１０に進入可能とするためのレバー通し窓７ａを有している。
【００２４】
次に、上記のように構成された松葉杖のグリップ高さ位置を調整するための作業を行う際における係止機構４、５の一連の動作について、図４〜図７を参照して説明する。
【００２５】
まず、グリップホルダ３が支持パイプ１に係止している状態では、係止機構４は、図４に示すような状態にあり、内側位置に位置している支持パイプ１のグリップ高さ調整孔６に係止ピン部１１の先端部１１ａが挿入されている。また、支持パイプ１の外周面の内側半分１ｄはスリーブ部７の内側円弧面１０ａと当接し、外側半分１ｅのうち約半分は、ロック状態にあるロックレバー１３のレバー円弧面１３ｂと当接している。
【００２６】
図４に示す係止状態において、ロックレバー１３のレバー円弧面１３ｂの端部１３ｃは、支持パイプ１の軸線Ｌ１と垂直ピン部１２の軸線Ｌ２とを含んだ仮想垂直面ＶＬ２の近傍位置であってロック方向ｄに仮想垂直面ＶＬ２を越えた位置に位置しているため、スリーブ部７に対し何らかの原因で外部から内方向ｂへの大きな押圧力が加わったとしても、支持パイプ１の外周面がレバー円弧面１３ｂの端部１３ｃを外方向へ押圧するのみで端部１３ｃをアンロック方向ｅへ回動させることができず、このため、ロックレバー１３はロック状態を確保でき、支持パイプ１は内側位置を確保することができる。
【００２７】
その後、グリップ高さ位置を調整するために、最初の作業として、ロックレバー１３に対し外部からアンロック方向ｅの回動操作力を加えると、レバー円弧面１３ｂの端部１３ｃは支持パイプ１の外周面を押圧しながら外周面の上記仮想垂直面ＶＬ２と交わる位置を乗り越え、ロックレバー１３はアンロック状態に変位し、係止機構４は図５に示す状態に変位する。この最初の作業は、作業者が松葉杖の内側面側から前後の支持パイプ１、２をそれぞれ左手及び右手で掴み、左手及び右手の親指の腹でそれぞれ前側及び後側の係止機構４、５のロックレバー１３の先端部１３ｄをアンロック方向ｅへ押すことで達成され、ワンタッチで行えるきわめて簡単な作業である。
【００２８】
次に、左手及び右手で松葉杖を固定し主に人差し指を使って支持パイプ１、２の外側面側からスリーブ部７に対し内方向ｂへの押圧力を加える作業を行う。
【００２９】
この作業により、グリップホルダ３は内方向ｂへ移動し、係止機構４は、図６に示すような状態に変位し、係止ピン部１１の先端部１１ａは支持パイプ１のグリップ高さ調整孔６から外れる。このため、グリップホルダ３は上下方向へスライド可能となる。
【００３０】
次に、グリップホルダ３を両手で掴み所望の高さ位置まで上昇又は下降させる。このとき、ガイド面１０ｅにより支持パイプ１が外側位置に確保された状態でグリップホルダ３が上昇又は下降し、グリップ高さ調整孔６と係止ピン部１１の先端部１１ａとが干渉することはなく、円滑にグリップホルダ３を上下方向へスライドさせることができる。
【００３１】
そして、係止ピン部１１の先端部１１ａを上方から視認しながら係止ピン部１１を所望のグリップ高さ調整孔６に位置合わせした後、左手及び右手の親指の腹でそれぞれ前側及び後側の係止機構４、５のスリーブ部７に対し外方向ｃへの押圧力を加える作業を行う。
【００３２】
この作業により、グリップホルダ３は外方向ｃへ移動を開始し係止ピン部１１の先端部１１ａがグリップ高さ調整孔６に挿入され、係止機構４は図７に示すような状態すなわち図５に示した状態と同様な状態に変位する。
【００３３】
そして、最後に、アンロック状態にあるロックレバー１３に対し外部からロック方向ｄへの回動操作力を加え、ロックレバー１３をロック状態に変位させる。これにより、係止機構４は図４に示した状態と同様な状態になり、グリップホルダ３は支持パイプ１、２に係止される。
【００３４】
以上説明したように、本実施形態に係る松葉杖によると、グリップ高さ位置を調整する際、係止ピン部１１の先端部１１ａを上方から視認しながらグリップ高さ調整孔６との位置合わせを行うことができるため、係止ピン部１１とグリップ高さ調整孔６との位置合わせが容易になる。また、ロックレバー１３のレバー円弧面１３ｂの端部１３ｃによりロックレバー１３のロック状態を確保でき、グリップホルダ３を支持パイプ１、２に対し確実に係止させることができる。また、スリーブ部７にロックレバー１３のレバー円弧面１３ｂをパイプ挿通孔１０内に進入可能にするレバー通し窓７ａを形成したため、係止機構４、５がコンパクトな構造になる。さらに、前側垂直面１０ｃ又は後側垂直面１０ｄにガイド面１０ｅを形成したため、グリップホルダ３を上下方向へスライドさせる際、係止ピン部１１の先端部１１ａとグリップ高さ調整孔６との干渉を防止でき円滑なスライドを実現することができる。
【００３５】
なお、上述した実施形態では、スリーブ部７にレバー通し窓７ａを設けているが、スリーブ部７にレバー通し窓７ａを設けないでスリーブ部７の上方又は下方にロックレバー１３を配するようにしてもよい。さらに、グリップ高さ調整孔６の外周面側の周囲に傾斜面を形成し、この傾斜面により係止ピン部１１の先端部１１ａが傾斜面に沿ってグリップ高さ調整孔６までガイドされるよう構成することが望ましい。
【００３６】
【発明の効果】
本発明の松葉杖によると、グリップ高さ位置を調整する際、係止ピン部の先端部を上方から視認しながらグリップ高さ調整孔との位置合わせを行うことができるため、係止ピン部とグリップ高さ調整孔との位置合わせが容易になる。また、スリーブ部にロックレバーのレバー円弧面をパイプ挿通孔内に進入可能にするレバー通し窓を形成したため、係止機構がコンパクトな構造になる。さらに、前側垂直面又は後側垂直面にガイド面を形成したため、グリップホルダを上下方向へスライドさせる際、係止ピン部の先端部とグリップ高さ調整孔との干渉を防止でき円滑なスライドを実現することができる。
【図面の簡単な説明】
【図１】本発明の一実施形態に係る松葉杖の概略側面図である。
【図２】グリップホルダの横半断面図である。
【図３】前側の係止機構の分解斜視図である。
【図４】グリップ高さ位置を調整する作業を行う際における前側の係止機構の一連の動作を説明するための横断面図である。
【図５】同じく、グリップ高さ位置を調整する作業を行う際における前側の係止機構の一連の動作を説明するための横断面図である。
【図６】同じく、グリップ高さ位置を調整する作業を行う際における前側の係止機構の一連の動作を説明するための横断面図である。
【図７】同じく、グリップ高さ位置を調整する作業を行う際における前側の係止機構の一連の動作を説明するための横断面図である。
【図８】従来の松葉杖の概略側面図である。
【図９】従来の松葉杖の係止機構の横断面図である。
【符号の説明】
１、２    支持パイプ
１ａ、２ａ    垂直部
１ｂ、２ｂ    内側面
１ｃ、２ｃ    外側面
３    グリップホルダ
４、５    係止機構
６    グリップ高さ調整孔
７ スリーブ部
１０    パイプ挿通孔
１０ａ    内側円弧面
１０ｂ    外側円弧面
１０ｃ    前側垂直面
１０ｄ    後側垂直面
１０ｅ    ガイド面
１１    係止ピン部
１１ａ    先端部
１２    垂直ピン部
１３    ロックレバー
１３ａ    ロックレバーの端部
１３ｂ    レバー円弧面
１３ｃ    レバー円弧面の端部
ａ    上下方向
ｂ、ｃ    内外方向
ｄ    ロック方向
ｅ    アンロック方向
ＶＬ１    係止ピン部の仮想延長軸線
ＶＬ２    仮想垂直面
Ｌ１    支持パイプの軸線
Ｌ２    垂直ピン部の軸線
【図１】
0003665924.tif 000002
【図２】
0003665924.tif 000003
【図３】
0003665924.tif 000004
【図４】
0003665924.tif 000005
【図５】
0003665924.tif 000006
【図６】
0003665924.tif 000007
【図７】
0003665924.tif 000008
【図８】
0003665924.tif 000009
【図９】
0003665924.tif 000010